(57)【特許請求の範囲】
【請求項１】
パチンコ球の払出流路の一側にアクチュエータの作動によって該払出流路中に出没しパチンコ球の流下を制動する作動体を設けてなる球払出装置において、鉛直面内で回転自在なるローラをその外周面が該払出流路の作動体と相対する側壁であってローラと作動体の先端部にてパチンコ球を挟み込むことが可能な範囲に露呈するように設けてなることを特徴としたパチンコ遊技機の球払出装置。
【発明の詳細な説明】
【０００１】
【発明の属する技術分野】
本発明は、パチンコ遊技機やそれに付随する球貸出装置等に設けられ、パチンコ球の流下を制動する球払出装置の構造に関するものである。
【０００２】
【従来の技術】
図８に例示した従来のパチンコ遊技機の球払出装置は、作動体ａが支軸ｂにより鉛直面内で回転し得るように支持され、ソレノイドｃを作動させることによって該作動体ａの嘴状に尖った先端部ｄがパチンコ球ｅの払出流路ｆの一側に形成された窓孔ｇから該払出流路中に突出することでパチンコ球ｅの流下を制止し得るように構成されたものである。
【０００３】
ところで、従来のこのような球払出装置では、例えば停電時等に作動体ａが払出流路ｆ中に突出したときその先端部ｄが偶然にもパチンコ球ｅの真中心を突くと、図９に示したように該パチンコ球ｅがその先端部ｄと相対する側壁との間に挟まって架橋状態となり、該パチンコ球ｅは中途半端な状態となって球センサの検知に異常をもたらすとともにソレノイドに過大な負荷を与え、故障の原因となることがあった。
【０００４】
なお、同様の問題はスプロケット式の球払出装置や、スクリュー式の球払出装置においても見られるものであった。
【０００５】
【発明が解決しようとする課題】
そこで本発明は上記問題点を解消し、常に円滑に作動し得る球払出装置を提供しようとするものである。
【０００６】
【課題を解決するための手段】
そのために本発明は、パチンコ球の払出流路の一側にアクチュエータの作動によって該払出流路中に出没しパチンコ球の流下を制動する作動体を設けてなる球払出装置において、鉛直面内で回転自在なるローラをその外周面が該払出流路の作動体と相対する側壁であってローラと作動体の先端部にてパチンコ球を挟み込むことが可能な範囲に露呈するように設けてなることを特徴とする。
【０００７】
【発明の実施の形態】
次に図面に従い本発明の実施の形態を説明する。図１は本発明の請求項１，２に係る球払出装置の縦断面図で、１はパチンコ遊技機の裏側に設けられた球貯留タンク等に連通しパチンコ球ｐが整列状にて流下するように接続される球流入口、２は該流入口より緩やかな下傾状に形成された緩傾斜樋である。該緩傾斜樋の下端には屈折部３を介して急角度にて傾斜した払出流路４が延設されている。
【０００８】
５は支軸６によって鉛直面内で回転自在なるように軸支され、嘴状に尖った先端部７が払出流路４の一側に形成された窓孔８から出没し、パチンコ球ｐの流下を制止し得るように設けられたプラスチック製の作動体である。また、９は該作動体５に一体に形成された係合部１０にプランジャーヘッド１１を係止させているソレノイドで、該ソレノイドを励磁することによってプランジャーヘッド１１がコイルバネ１２の弾性に抗して牽引されることから該作動体５は支軸６を中心として回転し、その先端部７を払出流路４中に出没させる。
【０００９】
しかして、１３は払出流路４の作動体５と相対する側壁に外周面が露呈するように支軸１４に鉛直面内で回転自在なるように支持したローラである。なお、図３に示したように、該ローラ１３は、その回転中心（即ち、支軸１４）と、作動体６の先端部７が接触するパチンコ球の中心とを結ぶ直線Ｌがローラの回転中心を高所とする４５度以下の傾斜（この実施形態では角度α＝１０度）の下傾線となるように設定される。
【００１０】
なお、１５は投光器と受光器とからなる光学式の球計数用センサで、該センサは作動体５により制止されるパチンコ球ｐの僅かに下流位置で、しかも払出流路４の中心線からずれた位置でその光軸が交差するように配置され、該作動体５による制止が開放された直後のパチンコ球がこの光軸を遮ることで該パチンコ球を検知し得るように配置される。
【００１１】
このように構成した球払出装置では、常態では図１に示したようにコイルバネ１２の弾性により作動体５の先端部７が払出流路４中に突出していて、該払出流路４中のパチンコ球ｐの流下を制止している。そこで球払出制御装置からの指令によりソレノイド９が励磁されプランジャーヘッド１１が牽引されると、図２に示したように作動体５の先端部７が払出流路４中から没するので、該払出流路４中のパチンコ球ｐは自重により払い出される。
【００１２】
そして停電時、或いは、所定数のパチンコ球が払い出されたところでソレノイド９が消磁されると、コイルバネ１２の弾性により作動体５の先端部７が再び払出流路４中に突出し、パチンコ球ｐの流下が制止される。その際、仮に図３に示したように、先端部７がパチンコ球ｐに突き当たり、該パチンコ球ｐの中心とローラの回転中心とが直線状に連なったとしても該作動体５は自在回転することから、こうした架橋状態が生じるおそれはない。そして、上記直線Ｌがローラの回転中心を高所とする４５度以下の傾斜の下傾線となるように設定されることで、球重量が作動体５に掛かるようになるので、作動体５がより軽敏に自在回転でき、架橋状態をより確実に防ぐことができるようにする。
【００１３】
また、この実施形態に示した球払出装置では、図示したように、停止時に緩傾斜樋２上に連なっているパチンコ球ｐの圧力が作動体５の先端部７に直接掛からないようにしているとともに、該先端部７は緩傾斜樋２の底面の略延長線方向に沿って出没動するようにしていることで、パチンコ球ｐから該作動体５の上面に加わる摩擦力が可及的に軽減されるようにしている。
【００１４】
また、この球払出装置では、屈折部３を形成しているので、該緩傾斜樋２を流下するパチンコ球ｐの速度がこの屈折部３を通過することによって減速され、球計数用センサ１５の光軸を一定速度以上で過ぎることがなくなるので検出ミスを起き難くしている。
【００１５】
また、ローラ１３を金属製等にして外周面を導電性材料で形成するようにすれば、パチンコ球の静電気がその接触によって逃がされ、帯電による誤作動等を防止できるようになる。
また、図示しないが、ローラ１３が回転する際にその動力で回転するようにファンを設け、該ファンが回転するときに起きる風でソレノイド９等が冷却されるようにし、その焼き付きを防止するようにすることも可能である。
【００１６】
また、ローラ１３の形状は必ずしも真円でなくてもよいとともに、作用部のみを露呈させた切欠円状のものとしてもよい。また、図示しないが、ローラ１３を円錐形にすることでは、万一にも架橋したパチンコ球がその円錐面の小径方向に逃げやすくできるので、架橋防止に一層効果がある。
【００１７】
一方、図４は他の実施形態を示すもので、同図中、図１と同一符号は同一部分を示す。この実施形態は、払出流路４の作動体５と相対する側壁に薄い板バネ状の弾性片２０を設け、該弾性片がパチンコ球ｐの圧力によって弾性的に出没自在なるようにするものである。このため、この球払出装置の場合も作動体５の先端部７によりパチンコ球ｐを突き当てたとしても、弾性片２０がその圧力によって没することで架橋状態が形成され難くすることができる。
【００１８】
また、弾性片２０の形態は、図４に示したものの他、図５に示したように波板状に形成したりすることで、該弾性片２０のヘタリをなくし弾力性を長期にわたり維持できるようになる。なお、該弾性片２０の材料としては厚さ０．１〜０．３の板バネを使用でき、その弾力性は幅寸法によって最適なものに調節することができる。
また、図６に示したように、弾性片２０が払出流路４中に弾性的に出没し得るように、該弾性片の背後にコイルバネ２１を設けたり、図７に示したように、弾性片２０を斜めに設け、その自重または錘２２によって該弾性片が払出流路４中に弾性的に出没し得るようにすることも可能である。
【００１９】
また、この実施形態では、パチンコ球の流下を制動する作動体を回転自在に軸支した例を説明したが、作動体はスライド移動する形態に設けられていてもよいことは勿論である。また、作動体の形態も図示したものの他、スプロケット状のもの、或いはスクリュー状のもの等、他の形態のものにも適用できる。
【００２０】
【発明の効果】
以上説明したように本発明は、パチンコ球の払出流路の一側にアクチュエータの作動によって該払出流路中に出没しパチンコ球の流下を制動する作動体を設けてなる球払出装置において、鉛直面内で回転自在なるローラをその外周面が該払出流路の作動体と相対する側壁であってローラと作動体の先端部にてパチンコ球を挟み込むことが可能な範囲に露呈するように設けることによって、パチンコ球が払出流路にて架橋状態になるのを防ぐことができる。このため、球センサの検知に異常をもたらしたり、アクチュエータに過大な負荷を与える等の故障の原因が排除され、球払出装置を常に円滑に作動し得るようにする有益な効果がある。
【図面の簡単な説明】
【図１】本発明に係るパチンコ遊技機の球払出装置の実施形態を示した縦断面図。
【図２】図１の作動状態図。
【図３】図１の作動状態図。
【図４】本発明に係るパチンコ遊技機の球払出装置の他の実施形態を示した縦断面図。
【図５】図４の作動状態図。
【図６】本発明に係るパチンコ遊技機の球払出装置の他の実施形態を示した縦断面図。
【図７】本発明に係るパチンコ遊技機の球払出装置の他の実施形態を示した縦断面図。
【図８】従来の球払出装置の縦断面図。
【図９】図８の作動状態図。
【符号の説明】
ｐ      パチンコ球
４      払出流路
５      作動体
７      先端部
９      アクチュエータ（ソレノイド）
１３    ローラ
１５    球計数用センサ
２０    弾性片
【図１】
0004778637.tif 000002
【図２】
0004778637.tif 000003
【図３】
0004778637.tif 000004
【図４】
0004778637.tif 000005
【図５】
0004778637.tif 000006
【図６】
0004778637.tif 000007
【図７】
0004778637.tif 000008
【図８】
0004778637.tif 000009
【図９】
0004778637.tif 000010